(57)【要約】【課題】  戸建住宅などの建物の外壁材の取付構造に関し、取り付け作業が迅速に行えて施工性に優れるとともに耐久性にも優れた外装壁の取付構造を提供することを課題とする。【解決手段】  建造物の構造躯体２，４に、水平方向に取り付けられる金属製のランナー材６と、上下に設置されたランナー材６，６の溝部１５にそれぞれ端部を嵌入して鉛直方向に配置される金属製の胴縁材８と、胴縁材８の前部に留め金具４２で止着される外壁材４０と、を有する外壁材の取付構造であって、前記ランナー材６は、断面コの字状の溝部１５を形成する面部として、取付面部１２、通気孔２２が穿設された溝面部１４及び前面部１６を有し、前記胴縁材８は、構造躯体に取り付けられる取付部２４、側板部２６，２６、外壁材４０を止着するための留め金具４２を固定する止着部２８、及びこれら止着部からそれぞれ後向きに屈曲された補強板部３０を有する構成である。【選択図】  図１
2008303622.tif 000002
【特許請求の範囲】
【請求項１】
建造物における上下の構造躯体に、一定間隔をおいてそれぞれ水平方向に取り付けられる金属製のランナー材と、
上記上下に設置されたランナー材の溝部にそれぞれ端部を嵌入して鉛直方向に配置され、後部に設けられた構造躯体に固定される金属製の胴縁材と、
上記胴縁材の前部に留め金具で止着される外壁材と、を有する外壁材の取付構造であって、
前記ランナー材は、断面コの字状の上記溝部を形成する面部として、構造躯体に取り付けられる取付面部、この取付面部から屈曲形成されるとともに所定間隔をおいて通気孔が穿設された溝面部、及びこの溝面部から上記取付面部と略平行な向きに屈曲された前面部を有し、
前記胴縁材は、構造躯体に取り付けられる取付部、この取付部の両側から前向きに立ち上る状態に屈曲された側板部、これら側板部からそれぞれ外向きに屈曲され上記外壁材を止着するための留め金具を固定する止着部、及びこれら止着部からそれぞれ後向きかつ前記側板部と略平行に屈曲された補強板部を有することを特徴とする外壁材の取付構造。
【発明の詳細な説明】
【技術分野】
【０００１】
本発明は、戸建住宅などの建物の外壁材の取付構造に関する。
【背景技術】
【０００２】
従来、戸建住宅などの外壁には、通気を可能にするために通気用の胴縁材が使用されている。例えば、特許文献１に記載の通気用の胴縁材５６は、図１０に示すように、通気防水シート５０等の壁用面材の下地面に沿って配置され、この下地面と外壁仕上げ材５２との間に通気空間５４を保持した状態で外壁仕上げ材５２を取り付ける際の下地材として用いられる。この胴縁材５６は構造用合板からなり、これの裏面には両側面にわたって横断して切り欠かれた断面コの字状の通気溝５８が、間隔をおいて複数設けられている。
【０００３】
また特許文献２には、金属製の胴縁材を用いた外壁施工構造が開示されている。この外壁施工構造は図１１（ａ）（ｂ）に示すように、建築物の構造躯体６０に固定した金属下地に外壁板を留め付ける外壁施工構造であり、上記金属下地は、建築物の構造躯体６０にそれぞれ略水平方向に固定された複数の金属ランナー６１、固定金具６６を用いてそれぞれ上記金属ランナー６１に略鉛直方向に固定された複数の金属胴縁材６２を有する。
【０００４】
上記固定金具６６は、上記金属ランナー６１の水平立設部に嵌合するランナー固定部６４、及び上記金属胴縁材６２に嵌合する胴縁材固定部６５を有し、この固定金具６６を金属ランナー６１に取り付け、固定金具６６の胴縁材固定部６５に設けた突起部６７を、金属胴縁材６２の鉛直立設部に設けられた係合穴６８に係合させて金属胴縁材６２を取り付ける。特許文献３，４についても、金属製の胴縁材を用いた取付け構造に関する発明が開示されている。
【０００５】
【特許文献１】特開２００３−２０７３８公報
【特許文献２】特開２００３−１２９６３８公報
【特許文献３】特許第３３２１３７６号公報
【特許文献４】特開平１１−１７２８８６号公報
【発明の開示】
【発明が解決しようとする課題】
【０００６】
さて、上記特許文献１に記載の胴縁材５６に用いられる木材は、経年的な気温や湿度の変化により、反り・ねじれ・割れ等を生じるという問題がある。また、特許文献２に記載の外壁施工構造には、金属ランナー６１と金属胴縁材６２とは固定金具６６を介して固定される構造であるため、部品点数が多くなってコストアップを招き、また固定金具６６の取り付けのため作業に手間がかかるという問題がある。
【０００７】
本発明は、上記問題点に鑑みてなされたものであり、取り付け作業が迅速に行えて施工性に優れるとともに耐久性にも優れた外装壁の取付構造を提供することを目的とする。
【課題を解決するための手段】
【０００８】
以上の技術的課題を解決するため、本発明に係る外壁材の取付構造は、図１等に示すように、建造物における上下の構造躯体２，４に、一定間隔をおいてそれぞれ水平方向に取り付けられる金属製のランナー材６と、上記上下に設置されたランナー材６，６の溝部１５にそれぞれ端部を嵌入して鉛直方向に配置され、後部に設けられた構造躯体１０に固定される金属製の胴縁材８と、上記胴縁材８の前部に留め金具４２で止着される外壁材４０と、を有する外壁材の取付構造であって、前記ランナー材６は、断面コの字状の上記溝部１５を形成する面部として、構造躯体に取り付けられる取付面部１２、この取付面部から屈曲形成されるとともに所定間隔をおいて通気孔２２が穿設された溝面部１４、及びこの溝面部から上記取付面部１２と略平行な向きに屈曲された前面部１６を有し、前記胴縁材８は、構造躯体に取り付けられる取付部２４、この取付部の両側から前向きに立ち上る状態に屈曲された側板部２６，２６、これら側板部からそれぞれ外向きに屈曲され上記外壁材４０を止着するための留め金具４２を固定する止着部２８、及びこれら止着部からそれぞれ後向きかつ前記側板部と略平行に屈曲された補強板部３０を有する構成である。
【発明の効果】
【０００９】
以上説明したように、本発明に係る外壁材の取付構造によれば、構造躯体に水平方向に取り付けられる金属製のランナー材、これらランナー材に鉛直方向に配置され構造躯体に固定される金属製の胴縁材、及び胴縁材の前部に留め金具で止着される外壁材と、を有し、ランナー材は、断面コの字状の溝部が形成され、胴縁材は取付部、側板部、外壁材を止着するための留め金具を固定する止着部、及び補強板部を有する構成を採用したから、断面略コの字状のランナー材に胴縁材の端部を嵌入することで、仮固定が容易に行えるので施工性に優れ、またランナー材と胴縁材とはそれぞれ構造躯体にビス等で取付ける簡単な形態である点においても作業性に優れ、併せて部品の省力化にも寄与するという効果がある。
【００１０】
また、この外壁材の取付構造によれば、金属製のランナー材、及び金属製の胴縁材を用いたことにより、木質の欠点である経年変化によるねじれ、反りがなくなるため経年変化が微少であり、またビス、釘による割れ等もなく施工精度が向上し、さらにランナー材の溝面部に通気孔を設けたことにより良好な通気環境が得られ、下地材などの耐久性が高められ住環境の改善にも寄与し、また胴縁材の断面形状をＭ字状としたことにより、柱などの構造躯体に取り付けることが容易でありかつ胴縁材自体の剛性も高いという効果がある。
【発明を実施するための最良の形態】
【００１１】
以下、本発明の実施の形態に係る外壁材の取付構造を図面に基づいて説明する。図１は、戸建住宅などの建物における上記外壁材の取付構造を示したものである。この建物は、構造躯体として、胴差、土台等の横架材２，４が設置され、これら上下の横架材２，４の間に所定間隔をおいて柱１０が設置されている。上記取付構造は、上記横架材２，４にそれぞれ金属製のランナー材６を取り付け、これらランナー材６に金属製の胴縁材８の上下端を支持させた状態で、上記柱１０の前面に沿って上記胴縁材８を配置したものである。上記ランナー材６及び胴縁材８により、金属製の外壁下地材が形成される。
【００１２】
上記ランナー材６は図２（ａ）（ｂ）（ｃ）に示すように、鋼板を屈曲成形した断面コの字状からなる長尺状の部材である。このランナー材６は、構造躯体に取り付けられる取付面部１２、この取付面部１２の端部から直角に屈曲形成された溝面部１４、及びこの溝面部１４の端部から上記取付面部１２と平行な向きに屈曲形成された前面部１６からなる。これら取付面部１２、溝面部１４及び前面部１６により、上記胴縁材８の端部を嵌め込むことが可能な溝部１５が形成される。
【００１３】
また、上記前面部１６は端部が外向きに少し傾斜し、取付面部１２との間が開いた形状の屈曲部１８が形成されている。この屈曲部１８は、胴縁材８の端部を溝部１５へ嵌め込む際にガイドとしての役割を果たし、嵌入を容易にする。そして上記取付面部１２には、所定の間隔をおいてビス用の円形の孔部２０が設けられている。また、上記溝面部１４には、所定の間隔（ここでは３０ｍｍ）をおいて前後に長い長孔状の通気孔２２が穿設されている。上記通気孔２２は、空気を通過させて通気を行うために設けたものである。
【００１４】
上記胴縁材８は図３に示すように、鋼板を屈曲成形したもので断面がＭ字状からなる長尺状の部材である。この胴縁材８は、構造躯体に取り付けられる取付部２４、この取付部２４の両側から立ち上がる状態に前向きに屈曲成形された側板部２６，２６、これら側板部２６，２６からそれぞれ上記取付部２４と平行な外向きに屈曲成形された止着部２８，２８、及びこれら止着部２８，２８から直角に屈曲形成され上記側板部２６と略平行でかつ上記取付部２４の面と同一の平面上に至る補強板部３０からなる。そして、胴縁材８の上記止着部２８には断面凸凹状の波状加工２９が施されている。
【００１５】
また図４に示すように、胴縁材８の取付部２４には、長尺方向に所定の間隔をおいてビス用の孔部３２が設けられている。また、上記取付部２４の平坦な面に対して、上記側板部２６がなす角度を８８°としており、上記補強板部３０がなす角度を９０°としている。
【００１６】
さらに、上記ランナー材６及び胴縁材８の材料としては、メッキ層の組成がZn（亜鉛）、Al（アルミニウム）、Mg（マグネシウム）などの合金メッキからなる薄板メッキ鋼板、例えばＺＡＭ（日新製鋼社商品名）等を用いることで、防錆効果を高めている。このように、戸建住宅に鋼製の胴縁材８を用いることで、温度や湿度による胴縁材の経年変化をなくし、また胴縁材８を工業製品化とすることで安定した製品の供給が行え、施工精度の向上も図れる。
【００１７】
さて図１及び図５に示すように、上記ランナー材６は一方を上方の横架材２の表面に配置し、ビス３４などの止着具をランナー材６の孔部２０を介して止着してランナー材６を横架材２に固定する。他方のランナー材６についても、これを下方の横架材４の表面に配置し上記と同様にして横架材４に固定する。これら上下のランナー材６，６はそれぞれ溝部１５を内側に向けて設置するとともに、ランナー材６同士の間隔は、上記胴縁材８の上下の端部を各ランナー材６，６の溝部１５に差し込んだ状態で、胴縁材８を上下向きに架設可能な寸法としておく。
【００１８】
そして図１に示すように、上下のランナー材６の溝部１５に胴縁材８の上下端を嵌め込み支持させた状態で、上下の横架材２，４の間に所定間隔をおいて設置された柱１０の前面に沿って胴縁材８を配置する。各胴縁材８は図５に示すように、胴縁材８が横架材２に接する上端部近傍の箇所については、取付部２４に設けた孔部３２にビス３４を止着して胴縁材８を横架材２に固定する。
【００１９】
また図６に示すように、胴縁材８が上記柱１０に接する箇所については、胴縁材８に設けた孔部３２にビス３４等の止着具を止着し、胴縁材８を柱１０に固定する。そして、上記胴縁材８の固定の際、柱１０の表面に凸凹などの不陸があって胴縁材８の固定位置が浮くような場合には、一枚或いは複数枚のレベル調整プレート３６を胴縁材８と柱１０との間に介在させて胴縁材８を固定する。このようにランナー材６間に胴縁材８を架設する工法において、上記レベル調整プレート３６を組み合わせて用いることで、外壁面の平滑化が容易に行える。
【００２０】
上記外壁材の取付構造は、新築の建物以外に建物の改修、改築にも適用可能である。例えば、戸建住宅の改修、改築などにおいて上記胴縁材８を設置する際、建物の柱１０の前面に壁材１１が取り付けられている場合には、この壁材１１の表面に胴縁材８を配置し、胴縁材８の孔部３２から介在したビス３４を壁材１１に貫通させて柱１０に固着する。このように、上下のランナー材６に胴縁材８の上下端部をそれぞれ差し込んで架設する工法により施工が簡便に行える。
【００２１】
上記胴縁材８の取り付けが終了すれば、図１及び図７，８に示すように、各胴縁材８の前面にサイディング４０を配置し、留め金具４２を用いてサイディング４０を胴縁材８に取り付ける。上記留め金具４２は、平坦な基部４４、この基部４４から立上げ部を経て上方に屈曲成形された上翼片４６、及び上記基部４４から立上げ部を経て下方に屈曲成形された下翼片４７からなる。また、上記サイディング４０は矩形状の板材であり、下辺部には溝部４８が形成され、上辺部には板厚の半分以上を欠取った相欠部４９が形成されている。
【００２２】
上記留め金具４２は、所定間隔を置いて胴縁材８の止着部２８に配置し、ビス４３を用いてその基部４４を止着部２８に固定する。このとき、金属製の胴縁材８の止着部２８に波状加工２９を施したことにより、留め金具４２の固定位置がガイドされて留め金具４２のビス止めが容易に行える。
【００２３】
そして図７，８に示すように、胴縁材８に配置したサイディング４０の上辺部については、上記留め金具４２を胴縁材８に固定するとともに、この留め金具４２の下翼片４７でサイディング４０の相欠部４９を係止し固定する。このサイディング４０の上部に位置するサイディング４０については、その底辺部の溝部４８を上記留め金具４２の上翼片４６に嵌めて係止させる。最下端のサイディング４０については、予め胴縁材８の下部近傍に取り付けた留め金具４２の上翼片４６に、サイディング４０の底辺部の溝部４８を嵌めて固定する。上記サイディング４０は、外壁面の全体に隙間なく配置し、留め金具４２を用いて胴縁材８の前面に取り付けて外壁を仕上げる。
【００２４】
図９に示す二階建ての戸建住宅は、上記ランナー材６と胴縁材８を用いた外壁下地材を、建物の外壁の一階部分と二階部分にそれぞれ設置した構造を有している。このとき一階と二階との間の横架材２には、上下の外壁下地材の境界部を構成するランナー材６同士の溝面部１４は背中合わせの状態で取付けられ、各ランナー材６の通気孔２２は両者が連通する状態で設置する。この戸建住宅では、柱１０などの構造躯体と外壁材としてのサイディング４０との間には、胴縁材８の前後幅間隔の空間部が形成されており、この空間部の上下方向についてはランナー材６の溝面部１４に設けた通気孔２２を介して下から上向きに空気流が発生して、通気性のよい良好な換気が行われる。上記通気性により、結露等を防止し建物の構造物の耐久性が高められ、良好な住環境が確保できる。
【００２５】
従って、上記実施の形態によれば、金属製のランナー材、及び金属製の胴縁材を用いたことから、木質の欠点である経年変化によるねじれ、反りがなくなるため経年変化が微少であり、またビス、釘による割れ等もなく施工精度が向上する。また、断面略コの字形の金属製のランナー材に金属製の胴縁材の端部を嵌入する構成を採用したことから、仮固定が容易に行えるので施工性に優れ、またランナー材と胴縁材とはそれぞれ建物の躯体にビス止めする簡単な形態である点においても作業性に優れ、併せて部品の省力化にも寄与する。
【００２６】
さらに上記実施の形態によれば、断面略コの字形の金属製ランナー材の溝面部に、一定間隔ごとに通気孔を設けたことから通気構造が可能となり、下地材などの耐久性が高められ住環境の改善にも寄与する。また、胴縁材の断面形状をＭ字状としたことにより、柱などの構造躯体に取り付けることが容易になるとともに、胴縁材自体の剛性も高くなり、加えて胴縁材の止着部を波状加工を施したことにより、留め金具のビス止めが容易となって作業性も良い。また、ランナー材及び胴縁材として薄板メッキ鋼板を用いたことにより、防錆び効果が高められ耐腐食性にも優れる。
【図面の簡単な説明】
【００２７】
【図１】本発明の実施の形態に係る外壁材の取付構造を示す図である。
【図２】実施の形態に係るランナー材を示す図であり、（ａ）は側面を、（ｂ）は正面を、（ｃ）は底面を示す。
【図３】実施の形態に係る胴縁材を示す斜視図である。
【図４】実施の形態に係る胴縁材の断面図である。
【図５】実施の形態に係るランナー材及び胴縁材の取付け状態を示す図である。
【図６】実施の形態に係る胴縁材の取付け状態を示す図である。
【図７】実施の形態に係り、サイディングを取り付けた状態を示す縦断面図である。
【図８】実施の形態に係り、サイディングを取り付けた状態を示す横断面図である。
【図９】実施の形態に係り、外壁材の取付構造を戸建住宅に適用した形態の断面図である。
【図１０】従来例に係る通気用胴縁を示す図である。
【図１１】従来例に係る外壁施工構造を示す図であり、（ａ）は外壁施工方法の説明図、（ｂ）は固定金具の側面図である。
【符号の説明】
【００２８】
２，４  構造躯体（横架材）
６  ランナー材
８  胴縁材
１０  構造躯体（柱）
１２  取付面部
１４  溝面部
１５  溝部
１６  前面部
２２  通気孔
２４  取付部
２６  側板部
２８  止着部
３０  補強板部
４０  外壁材（サイディング）
４２  留め金具
【図１】
2008303622.tif 000003
【図２】
2008303622.tif 000004
【図３】
2008303622.tif 000005
【図４】
2008303622.tif 000006
【図５】
2008303622.tif 000007
【図６】
2008303622.tif 000008
【図７】
2008303622.tif 000009
【図８】
2008303622.tif 000010
【図９】
2008303622.tif 000011
【図１０】
2008303622.tif 000012
【図１１】
2008303622.tif 000013